(57)【要約】  機械的な櫛すき動作と流体流とを組み合わせて、シュロ状構造から堆積物を除去するクリーニング装置。【選択図】図３
2012515074.tif 000002
【特許請求の範囲】
【請求項１】
クリーニング装置であって、機械的な櫛すき動作と液体流とを組み合わせて、シュロ状構造を組み込んだ構造から堆積物を実質的に除去する、装置。
【請求項２】
前記シュロ状構造は塗料刷毛の剛毛を含む、請求項１に記載のクリーニング装置。
【請求項３】
前記機械的な櫛すき動作は、複数歯櫛構造により提供され、前記複数歯櫛構造の歯は、前記シュロ状構造の束内に侵入して、前記シュロ状構造の束を通して、または束の間を長手方向に移動するように適合される、請求項１に記載の装置。
【請求項４】
前記液体流は、前記複数歯櫛構造の各歯の外端部に隣接する少なくとも１つの液体流オリフィスから出る、請求項１〜３のいずれか一項に記載の装置。
【請求項５】
前記少なくとも１つのオリフィスは、前記液体流を前記複数歯櫛構造の各歯に略平行して向けるように構成される、請求項４に記載の装置。
【請求項６】
前記液体流は、前記オリフィスから出る細かく狭い扇形の水流に構成される、請求項４または５に記載の装置。
【請求項７】
前記液体は水である、請求項１〜６のいずれか一項に記載の装置。
【請求項８】
前記複数歯櫛構造の前記歯は、前記装置の多様体本体部から延びる、請求項３〜７のいずれか一項に記載の装置。
【請求項９】
前記多様体本体部は、使用者の手で握られるような形状のハンドル部から延びる、請求項８に記載の装置。
【請求項１０】
前記複数歯構造の前記歯のそれぞれには、前記歯が前記塗料刷毛の剛毛間を移動する際にスクレーパとして働く硬質縁部が形成される、請求項３〜９のいずれか一項に記載の装置。
【請求項１１】
前記構造の前記多様体部には、前記歯が前記シュロ状構造を通って移動する際にスクレーパとして働く硬質縁部が形成される、請求項１〜１０のいずれか一項に記載の装置。
【請求項１２】
前記ハンドル部には、前記ハンドル部の一端部にコネクタ差し込み口が設けられ、前記コネクタ差し込み口は、水源ホースのソケット口接続具に接続するように適合される、請求項９に記載の装置。
【請求項１３】
前記ハンドル部、前記多様体本体、前記複数歯構造の前記歯、および前記コネクタ差し込み口は、一体構造を形成する、請求項１２に記載の装置。
【請求項１４】
前記一体構造はブロー成形プロセスにより形成される、請求項１３に記載の装置。
【請求項１５】
塗料刷毛の剛毛から残留塗料を略除去する方法であって、
Ａ）塗料刷毛クリーニング装置を水源ホースに接続するステップと、
Ｂ）前記塗料刷毛クリーニング装置の複数歯構造の歯を前記塗料刷毛の剛毛束間で押すステップと、
Ｃ）前記歯を前記塗料刷毛のヘッド部に隣接する初期位置から前記剛毛束の端部まで繰り返し移動させるステップと
を含み、
前記歯の間に配置されたオリフィスから出る扇形の水流が、前記残留塗料を前記剛毛から除去するように働く、方法。
【請求項１６】
前記塗料刷毛の各側でステップ（ａ）〜（ｃ）を繰り返す、請求項１５に記載の方法。
【請求項１７】
前記扇形の水流は、前記歯のそれぞれの片側から出され、前記水流は前記複数歯構造に対して略垂直に出る、請求項１５または１６に記載の方法。
【請求項１８】
前記装置は、前記扇形の水流が前記残留塗料を前記剛毛の端部に向けさせるように、前記塗料刷毛の側に沿って動かされる、請求項１〜１７のいずれか一項に記載の方法。
【請求項１９】
シュロ状構造から残留物を略除去する方法であって、
Ａ）クリーニング装置を水源に接続するステップと、
Ｂ）前記クリーニング装置の複数歯構造の歯を前記シュロ状構造の間または前記シュロ状構造を通して押すステップと
を含み、
前記歯の間に配置されたオリフィスから出る扇形の水流が、前記残留物を除去するように働く、方法。
【発明の詳細な説明】
【技術分野】
【０００１】
本発明は、流体流を制御して適用することによる物品のクリーニングに関し、排他的にではないが、より詳細には、塗料刷毛および紐状構造を有する同様の物品のクリーニングに関する。
【背景技術】
【０００２】
紐またはシュロから作られた物品または構造のクリーニングは、困難であり得る。
【０００３】
例えば、使用後の塗料刷毛のクリーニングは、時間がかかると共に、非効率なプロセスである。様々な液体および機械的なクリーニングシステムが考案されているが、後者の場合、クリーニングシステムは複雑で比較的高価であり得、それ自体の清掃が困難であり、一般に満足のいくものではない。
【発明の概要】
【発明が解決しようとする課題】
【０００４】
本発明の目的は、上記欠点のうちのいくつかに対処するか、または少なくとも改良するか、または少なくとも、有用な代替を提供することである。
【０００５】
備考
１．用語「備える」（およびその文法的変形）は、本明細書では、「のみからなる」という排他的な意味ではなく、「有する」または「含む」という包含的な意味で使用される。
【０００６】
２．本発明の背景での従来技術の上記考察は、背景において考察された任意の情報が引用される従来技術であること、または任意の国の当業者の一般知識の一部であることを認めるものではない。
【課題を解決するための手段】
【０００７】
発明の簡単な説明
定義
本明細書では、用語「シュロ状構造」は、通常、略平行する構成で紐または線条を組み込んだ構造を指すものと解釈されるべきである。そのような構造の非限定的な具体例としては、塗料刷毛の剛毛または位置合わせされた馬の尻尾の毛が挙げられる。
【０００８】
したがって、本発明の広義の一形態において、クリーニング装置であって、機械的な櫛すき動作と液体流とを組み合わせて、シュロ状構造を組み込んだ構造から堆積物を実質的に除去する、装置が提供される。
【０００９】
好ましくは、上記シュロ状構造は塗料刷毛の剛毛を含む。
【００１０】
好ましくは、上記機械的な櫛すき動作は、複数歯櫛構造により提供され、上記複数歯櫛構造の歯は、上記シュロ状構造の束内に侵入して、上記シュロ状構造の束を通して、または束の間を長手方向に移動するように適合される。
【００１１】
好ましくは、上記液体流は、上記複数歯櫛構造の各歯の外端部に隣接する少なくとも１つの液体流オリフィスから出る。
【００１２】
好ましくは、上記少なくとも１つのオリフィスは、上記液体流を上記複数歯櫛構造の各歯に略平行して向けるように構成される。
【００１３】
好ましくは、記液体流は、上記オリフィスから出る細かく狭い扇形の水流に構成される。
【００１４】
好ましくは、上記液体は水である。
【００１５】
好ましくは、上記複数歯櫛構造の上記歯は、上記装置の多様体本体部から延びる。
【００１６】
好ましくは、上記多様体本体部は、使用者の手で握られるような形状のハンドル部から延びる。
【００１７】
好ましくは、上記複数歯構造の上記歯のそれぞれには、上記歯が上記塗料刷毛の剛毛間を移動する際にスクレーパとして働く硬質縁部が形成される。
【００１８】
好ましくは、上記構造の上記多様体部には、上記歯が上記シュロ状構造を通って移動する際にスクレーパとして働く硬質縁部が形成される。
【００１９】
好ましくは、上記ハンドル部には、上記ハンドル部の一端部にコネクタ差し込み口が設けられ、上記コネクタ差し込み口は、水源ホースのソケット口接続具に接続するように適合される。
【００２０】
好ましくは、上記ハンドル部、上記多様体本体、上記複数歯構造の上記歯、および上記コネクタ差し込み口は、一体構造を形成する。
【００２１】
好ましくは、上記一体構造はブロー成形プロセスにより形成される。
【００２２】
本発明のさらなる広義の形態において、塗料刷毛の剛毛から残留塗料を略除去する方法であって、
Ａ）塗料刷毛クリーニング装置を水源ホースに接続するステップと、
Ｂ）上記塗料刷毛クリーニング装置の複数歯構造の歯を上記塗料刷毛の剛毛束間で押すステップと、
Ｃ）上記歯を上記塗料刷毛のヘッド部に隣接する初期位置から上記剛毛束の端部まで繰り返し移動させるステップと
を含み、
上記歯の間に配置されたオリフィスから出る扇形の水流が、上記残留塗料を上記剛毛から除去するように働く、方法が提供される。
【００２３】
好ましくは、上記塗料刷毛の各側でステップ（ａ）〜（ｃ）を繰り返す。
【００２４】
好ましくは、上記扇形の水流は、上記歯のそれぞれの片側から出され、上記水流は上記複数歯構造に対して略垂直に出る。
【００２５】
好ましくは、上記装置は、上記扇形の水流が上記残留塗料を上記剛毛の端部に押しやるように、上記塗料刷毛の側に沿って動かされる。
【００２６】
本発明のさらなる広義の形態において、シュロ状構造から残留物を略除去する方法であって、
Ａ）クリーニング装置を水源に接続するステップと、
Ｂ）上記クリーニング装置の複数歯構造の歯を上記シュロ状構造の間または上記シュロ状構造を通して押すステップと
を含み、
上記歯の間に配置されたオリフィスから出る扇形の水流が、上記残留物を除去するように働く、方法が提供される。
【００２７】
本発明の実施形態について、添付図面を参照してこれより説明する。
【図面の簡単な説明】
【００２８】
【図１】本発明の好ましい実施形態によるクリーニング装置の斜視図である。
【図２】好ましい噴霧パターンを示す、図１の装置のさらなる斜視図である。
【図３】使用に際して塗料刷毛に適用される場合の図１および図２の装置の斜視図である。
【図４】第２の好ましい実施形態によるクリーナの斜視図である。
【図５】図４のクリーナの側面図である。
【発明を実施するための形態】
【００２９】
図１〜図３を参照すると、本発明の第１の好ましい実施形態では、クリーニング装置１０は多様体本体部１２を含み、多様体本体部１２から、複数歯櫛構造１４が延びる。装置１０は、多様体本体部１２から延びるハンドル部１６と、図２および図３から分かるように、水源ホース２２の接続ソケット２０を接続し得る差し込み口１８とをさらに含む。
【００３０】
好ましくは、多様体本体部１２、櫛構造１４、ハンドル部１６、および差し込み口１８は、一体形の全体をなし、中空である。したがって、各歯２４の内部は多様体本体部１２と流通し、そして、多様体本体部１２はハンドル部１４および差し込み口１８と流通する。好ましくは、この装置１０は、適したポリマーからブロー成形される。
【００３１】
好ましい形態では、歯２４は、互いに略平行し、図示のように間にアーチ状溝２４Ａが画定された状態で互いに離間されるように配置される。
【００３２】
各アーチ状溝２４Ａには、図２の差し込み図に示されるように、オリフィス２６が設けられる。好ましくは、各オリフィス２６は、加圧された水を装置１０に流入させた場合、水の扇形の水流２８を生み出すように形成される。好ましくは、水流２８は、歯２４の間から櫛構造１４に対して略平行して出る。
【００３３】
櫛構造１４の各歯２４は、図３から分かるように、塗料刷毛３２の剛毛３０の束等のシュロ状構造のシュロ状物内に侵入するように適合される。歯の前縁部３４は硬度または先鋭な縁部を有し得、それにより、塗料刷毛の剛毛に対して長手方向に装置が移動する間、塗料刷毛３２の剛毛３６に対するスクレーパとして働くように形成される。
【００３４】
使用に際して
実際に、塗料刷毛３２の使用直後に、本発明の好ましい実施形態の装置１０を水源ホース２２に接続し、塗料刷毛３２を適した廃水受け（図示せず）上に保持しながら、本装置の歯２４および歯の間から出る水流２８が、塗料刷毛の第１の側から剛毛３６間に進入する。好ましい形態では、進入は、水流２８を剛毛３６の外端部４０に向けた状態で、塗料刷毛のヘッド部、すなわち嵌め輪（ferule）３８に可能な限り近くすることができる。次に、装置１０を剛毛の端部４０に向けて動かし、櫛構造１４の歯２４を剛毛に通す。次に、水流２８が、水流２８の力および歯２４の縁部３４のスクレーパ動作により残留塗料を剛毛の端部に向けて除去し、剛毛端部から出す。
【００３５】
図３の差し込み図から分かるように、剛毛３６は、水流がまずオリフィス２６から出る領域において、アーチ状構造２４Ａに押し当てられて圧縮し、次に、オリフィス２６から、水が、歯の間の抵抗が最も小さな経路に沿って本体部１２から離れる方向に流れる。
【００３６】
この動作を数回繰り返してから、同じ手順を塗料刷毛の逆側に対して適用し得る。残留塗料が剛毛から略除去されるまで、塗料刷毛の片側に全プロセスを適用し、次に、塗料刷毛の逆側に全プロセスを適用することを複数回繰り返し得る。
【００３７】
第２の実施形態
図４および図５を参照して、本発明の第２の好ましい実施形態によるクリーナ５０を示す。この構造は、第１の実施形態と略同じであり、それに従って同様の構成要素が付番される。図４の差し込み正面図ＡＡから分かるように、リッジ構造５１が一続きになった歯の各側に画定される。このリッジ構造５１は、塗料刷毛の剛毛に当たって擦り、硬化した塗料または同様の堆積物を除去するように働く硬質縁部５２を含む。
【００３８】
上記は、本発明のいくつかの実施形態のみを説明しており、当業者に明らかなように、本発明から逸脱せずに変更を行うことが可能である。したがって、例えば、上記説明は水の使用に焦点を合わせているが、適した加圧供給源を使用して、洗剤、シンナー、および他の洗浄剤等の他の液体が、その他の点では本発明の方法に従って装置を通過してもよいことを理解されよう。
【００３９】
また、ハンドル部１６は、例えば、異なる種類のホースに接続でき、または液体石鹸ディスペンサー等の他の付属品に接続できるように、代替の接続部も受け得る。
【図１】
2012515074.tif 000003
【図２】
2012515074.tif 000004
【図３】
2012515074.tif 000005
【図４】
2012515074.tif 000006
【図５】
2012515074.tif 000007
【国際調査報告】
2012515074.tif 000008
2012515074.tif 000009